(57)【要約】【課題】互いに異なる電流容量と遮蔽構造の複数のコネクタを統合した統合型多極コネクタの提供。【解決手段】統合型多極コネクタは、電場遮蔽のためのシールドコンタクトが備えられた第１電線ユニットと、電場遮蔽のためのシールドカバーが備えられ第１電線ユニットと異なる電流容量を有する第２電線ユニットとを含むフィメールハウジングと；フィメールハウジングと結合される時、第１電線ユニットと電気接続される第１メール端子と、第２電線ユニットと電気接続される第２メール端子とを含むメールハウジングと；メールハウジングの内側に配され第１メール端子と第２メール端子の電場を遮蔽するメールシールドシェルと；フィメールハウジングの内側に配されフィメールハウジングとメールハウジングとが結合される時、メールシールドシェルと連結されフィメールハウジングとメールハウジングとの電場遮蔽を可能にするフィメールシールドシェルと；を含む。【選択図】図１４
2020095947.tif 000002
【特許請求の範囲】
【請求項１】
電場遮蔽のためのシールドコンタクトが備えられた第１電線ユニットと、電場遮蔽のためのシールドカバーが備えられ、前記第１電線ユニットと異なる電流容量を有する第２電線ユニットとが組立てられたフィメールハウジングと；
前記フィメールハウジングと結合される時、前記第１電線ユニットと電気接続される第１メール端子と、前記第２電線ユニットと電気接続される第２メール端子とが組立てられたメールハウジングと；
前記メールハウジングの内側に配置され、前記第１メール端子と第２メール端子の電場を遮蔽するメールシールドシェルと；
前記フィメールハウジングの内側に配置され、前記フィメールハウジングとメールハウジングとが結合される時、前記メールシールドシェルと連結されることにより、前記フィメールハウジングとメールハウジングとの間に電場遮蔽を可能にするフィメールシールドシェルと；を含む統合型多極コネクタ。
【請求項２】
前記フィメールシールドシェルは、メールシールドシェルの前端部と連結されるフィメールシールドシェルの前端部に、前記メールシールドシェルの前端部の内側面に接触する第１接触部が備えられたことを特徴とする請求項１に記載の統合型多極コネクタ。
【請求項３】
前記第１接触部は、前記フィメールシールドシェルの前端部が前記メールシールドシェルの内側に挿入される時、前記メールシールドシェルの前端部の内側面に弾力的に接触するように形成されたことを特徴とする請求項２に記載の統合型多極コネクタ。
【請求項４】
前記フィメールシールドシェルは、その後端部に、前記シールドコンタクトと接触して連結される第２接触部が備えられたことを特徴とする請求項２に記載の統合型多極コネクタ。
【請求項５】
前記第２接触部は、第１電線ユニットが前記フィメールシールドシェルを貫通する時、前記シールドコンタクトの外側に弾力的に接触するようにフィメールシールドシェルに形成されたことを特徴とする請求項４に記載の統合型多極コネクタ。
【請求項６】
前記第１電線ユニットは、フィメールハウジングの第１回路挿入部に組立てられる時、前記フィメールシールドシェルを貫通することを特徴とする請求項５に記載の統合型多極コネクタ。
【請求項７】
前記フィメールシールドシェルは、その後端部に、第２電線ユニットのシールドカバーと接触して連結される第３接触部が備えられたことを特徴とする請求項２に記載の統合型多極コネクタ。
【請求項８】
前記第３接触部は、第２電線ユニットが前記フィメールシールドシェルを貫通する時、前記シールドカバーの外側に弾力的に接触するようにフィメールシールドシェルに形成されたことを特徴とする請求項７に記載の統合型多極コネクタ。
【請求項９】
前記第２電線ユニットは、フィメールハウジングの第２回路挿入部に組立てられる時、前記フィメールシールドシェルを貫通することを特徴とする請求項８に記載の統合型多極コネクタ。
【請求項１０】
前記第１電線ユニットは、その前端部が前記フィメールシールドシェルの内側に配置される１つ以上の小電流電線と、前記小電流電線の中央部の外側縁に配置される前記シールドコンタクトとを含み、前記小電流電線は、電流が流れるように形成された心線部と、前記心線部の電場遮蔽のための電線遮蔽網とを含んで構成されたことを特徴とする請求項１に記載の統合型多極コネクタ。
【請求項１１】
前記第１電線ユニットは、前記心線部と電線遮蔽網との間に配置され、前記心線部の電気絶縁を行う心線部絶縁体と、前記電線遮蔽網の外側に配置され、前記電線遮蔽網の電気絶縁を行う遮蔽網絶縁体とを含むことを特徴とする請求項１０に記載の統合型多極コネクタ。
【請求項１２】
前記電線遮蔽網の前端部の外側縁に前記シールドコンタクトが配置され、前記フィメールシールドシェルと前記電線遮蔽網が前記シールドコンタクトの前後に配置されることを特徴とする請求項１０に記載の統合型多極コネクタ。
【請求項１３】
前記第２電線ユニットは、
その前端部が前記フィメールシールドシェルの内側に配置される１つ以上の大電流電線と；
前記大電流電線の後端部が挿入されるシールドカバーと；
前記シールドカバーの後端部の外側に固定され、前記大電流電線の後端部を取り囲む遮蔽編組網と；を含んで構成されたことを特徴とする請求項１に記載の統合型多極コネクタ。
【請求項１４】
前記メールハウジングが電気配電装置の電場遮蔽のための遮蔽ハウジングに設けられる時、前記メールシールドシェルの後端部が前記遮蔽ハウジングに接触によって連結され、前記遮蔽ハウジングとメールハウジングとの間に電場遮蔽が可能になったことを特徴とする請求項１に記載の統合型多極コネクタ。
【請求項１５】
前記第１電線ユニットの外側縁に小電流ワイヤシールが配置され、フィメールハウジングと第１電線ユニットとの間に水分が流入するのを防止することを特徴とする請求項１に記載の統合型多極コネクタ。
【請求項１６】
前記第２電線ユニットの外側縁にカバーシールが配置され、前記フィメールハウジングと第２電線ユニットとの間に水分が流入するのを防止することを特徴とする請求項１に記載の統合型多極コネクタ。
【請求項１７】
前記大電流電線の外側縁に大電流ワイヤシールが配置され、前記大電流電線と前記大電流電線の外側に配置されたシールドカバーとの間に水分が流入するのを防止することを特徴とする請求項１３に記載の統合型多極コネクタ。
【請求項１８】
前記フィメールハウジングの内側にフィメールコネクタシールが設けられ、前記フィメールハウジングとメールハウジングとの間に水分が流入するのを防止することを特徴とする請求項１に記載の統合型多極コネクタ。
【請求項１９】
前記遮蔽ハウジングと接触する前記メールハウジングの後端部にメールコネクタシールが配置され、前記メールハウジングと前記遮蔽ハウジングとの間に水分が流入するのを防止することを特徴とする請求項１４に記載の統合型多極コネクタ。
【請求項２０】
前記フィメールハウジングにはフィメールインターロック端子が配置され、前記メールハウジングにはメールインターロック端子が配置され、
前記フィメールインターロック端子とメールインターロック端子との間に電気接続が完了する時、第１電線ユニットと第１メール端子との間に電流通電および第２電線ユニットと第２メール端子との間に電流通電が可能になり、前記フィメールシールドシェルとメールシールドシェルとが接触によって連結されることを特徴とする請求項１に記載の統合型多極コネクタ。
【発明の詳細な説明】
【技術分野】
【０００１】
本発明は、統合型多極コネクタに関し、詳細には、互いに異なる電流容量と遮蔽構造が適用される複数のコネクタを統合した多極コネクタとして使用できる統合型多極コネクタに関する。
【背景技術】
【０００２】
一般的に、コネクタは、電流容量と遮蔽方式などによってその仕様が区分される。通常、１つのコネクタは、１つの電線に同等水準の電流を印加する。
【０００３】
電気モータが駆動源として用いられるハイブリッド車両の場合、前記電気モータだけでなく、車両に設けられている各種電気負荷に電源を分配するために電気配電装置が設けられる。前記電気配電装置は、車両に搭載されたバッテリの電力が供給され、前記電気モータと電気負荷に電源を分配する。
【０００４】
前記電気モータは、前記電気負荷対比で非常に高い高電流を消耗するため、前記電気モータに電流を印加するコネクタと前記電気負荷に電流を印加するコネクタは、異なる仕様のコネクタが用いられている。
【０００５】
また、従来のコネクタは、その電流容量に応じて互いに異なる遮蔽構造が適用されている。コネクタの電流容量は、しきい電流値を基準として小電流と大電流とに区分される。費用および重量節減などの理由によって、小電流回路用コネクタの場合、それぞれの端子と接続される電線ごとに個別的に遮蔽構造が適用されており、大電流回路用コネクタの場合、複数の端子に対して一括的に遮蔽構造が適用されている。
【０００６】
最近、車両の電流容量の増加に伴ってコネクタのサイズも大きくなっており、それによって、車両内の電気配電装置がコネクタを収容するために必要とする面積がますます増加している。
【０００７】
これを改善するために、同一仕様の遮蔽構造が適用される複数の小電流回路用コネクタを統合させた多極コネクタが開発されている。しかし、個別の遮蔽構造が適用される小電流回路用コネクタと一括の遮蔽構造が適用される大電流回路用コネクタは、統合によるサイズ増大および防水の問題が存在するため、統合が難しい状況である。
【０００８】
同一仕様の遮蔽構造が適用されるコネクタの場合、統合時のサイズ縮小が可能であるが、異なる仕様の遮蔽構造が適用されるコネクタの場合、統合時のサイズ縮小が困難なため、新たな遮蔽構造が必要である。また、異なる仕様の遮蔽構造が適用されたコネクタの統合のために新たな遮蔽構造が適用されても、遮蔽構造に対する防水の問題などが解決できなければ、コネクタの腐食および破損の問題が発生する。
【発明の概要】
【発明が解決しようとする課題】
【０００９】
本発明は、上記の点に鑑みてなされたものであって、互いに異なる電流容量と遮蔽構造が適用される複数の電気コネクタを統合した多極コネクタとして使用できる統合型多極コネクタを提供することを目的とする。
【課題を解決するための手段】
【００１０】
そこで、本発明では、統合型多極コネクタを提供する。前記統合型多極コネクタは、電場遮蔽のためのシールドコンタクトが備えられた第１電線ユニットと、電場遮蔽のためのシールドカバーが備えられ、前記第１電線ユニットと異なる電流容量を有する第２電線ユニットとが組立てられたフィメールハウジングと；前記フィメールハウジングと結合される時、前記第１電線ユニットと電気接続される第１メール端子と、前記第２電線ユニットと電気接続される第２メール端子とが組立てられたメールハウジングと；前記メールハウジングの内側に配置され、前記第１メール端子と第２メール端子の電場を遮蔽するメールシールドシェルと；前記フィメールハウジングの内側に配置され、前記フィメールハウジングとメールハウジングとが結合される時、前記メールシールドシェルと連結されることにより、前記フィメールハウジングとメールハウジングとの間に電場遮蔽を可能にするフィメールシールドシェルと；を含んで構成される。
【００１１】
具体的には、前記フィメールシールドシェルは、メールシールドシェルの前端部と連結されるフィメールシールドシェルの前端部に、前記メールシールドシェルの前端部の内側面に接触する第１接触部が備えられる。前記第１接触部は、前記フィメールシールドシェルの前端部が前記メールシールドシェルの内側に挿入される時、前記メールシールドシェルの前端部の内側面に弾力的に接触するように形成される。また、前記フィメールシールドシェルは、その後端部に、前記シールドコンタクトと接触して連結される第２接触部が備えられる。前記第２接触部は、第１電線ユニットが前記フィメールシールドシェルを貫通する時、前記シールドコンタクトの外側に弾力的に接触するようにフィメールシールドシェルに形成される。前記第１電線ユニットは、フィメールハウジングの第１回路挿入部に組立てられる時、前記フィメールシールドシェルを貫通することができる。また、前記フィメールシールドシェルは、その後端部に、第２電線ユニットのシールドカバーと接触して連結される第３接触部が備えられる。前記第３接触部は、第２電線ユニットが前記フィメールシールドシェルを貫通する時、前記シールドカバーの外側に弾力的に接触するようにフィメールシールドシェルに形成される。前記第２電線ユニットは、フィメールハウジングの第２回路挿入部に組立てられる時、前記フィメールシールドシェルを貫通することができる。
【００１２】
前記第１電線ユニットは、その前端部が前記フィメールシールドシェルの内側に配置される１つ以上の小電流電線と、前記小電流電線の中央部の外側縁に配置される前記シールドコンタクトとを含んで構成される。前記小電流電線は、電流が流れるように形成された心線部と、前記心線部の電場遮蔽のための電線遮蔽網とを含んで構成される。また、前記第１電線ユニットは、前記心線部と電線遮蔽網との間に配置され、前記心線部の電気絶縁を行う心線部絶縁体と、前記電線遮蔽網の外側に配置され、前記電線遮蔽網の電気絶縁を行う遮蔽網絶縁体とを含むことができる。前記電線遮蔽網の前端部の外側縁に前記シールドコンタクトが配置され、前記フィメールシールドシェルと前記電線遮蔽網が前記シールドコンタクトの前後に配置される。
【００１３】
前記第２電線ユニットは、その前端部が前記フィメールシールドシェルの内側に配置される１つ以上の大電流電線と；前記大電流電線の後端部が挿入されるシールドカバーと；前記シールドカバーの後端部の外側に固定され、前記大電流電線の後端部を取り囲む遮蔽編組網と；を含んで構成される。
【００１４】
そして、前記統合型多極コネクタは、前記メールハウジングが電気配電装置の電場遮蔽のための遮蔽ハウジングに設けられる時、前記メールシールドシェルの後端部が前記遮蔽ハウジングに接触によって連結され、前記遮蔽ハウジングとメールハウジングとの間に電場遮蔽が可能になる。
【００１５】
また、前記統合型多極コネクタは、前記第１電線ユニットの外側縁に小電流ワイヤシールが配置され、フィメールハウジングと第１電線ユニットとの間に水分が流入するのを防止することができる。前記統合型多極コネクタは、前記第２電線ユニットの外側縁にカバーシールが配置され、前記フィメールハウジングと第２電線ユニットとの間に水分が流入するのを防止することができる。前記統合型多極コネクタは、前記大電流電線の外側縁に大電流ワイヤシールが配置され、前記大電流電線と前記大電流電線の外側に配置されたシールドカバーとの間に水分が流入するのを防止することができる。前記統合型多極コネクタは、前記フィメールハウジングの内側にフィメールコネクタシールが設けられ、前記フィメールハウジングとメールハウジングとの間に水分が流入するのを防止することができる。前記統合型多極コネクタは、前記遮蔽ハウジングと接触する前記メールハウジングの後端部にメールコネクタシールが配置され、前記メールハウジングと前記遮蔽ハウジングとの間に水分が流入するのを防止することができる。
【００１６】
同時に、前記統合型多極コネクタは、前記フィメールハウジングにはフィメールインターロック端子が配置され、前記メールハウジングにはメールインターロック端子が配置され、前記フィメールインターロック端子とメールインターロック端子との間に電気接続が完了する時、第１電線ユニットと第１メール端子との間に電流通電および第２電線ユニットと第２メール端子との間に電流通電が可能になり、前記フィメールシールドシェルとメールシールドシェルとが接触によって連結される。
【発明の効果】
【００１７】
本発明に係る統合型多極コネクタは、互いに異なる電流容量と遮蔽構造を有する複数の電気コネクタが統合された構造で構成されることにより、互いに異なる電流容量を有する複数の電線ユニットの電気接続のために用いられるコネクタの種数の縮小を図ることができ、前記複数の電線ユニットに電気を配電する電気配電装置のサイズ縮小を図ることができる。
【図面の簡単な説明】
【００１８】
【図１】本発明に係るフィメールコネクタを示す図である。
【図２】本発明に係るフィメールコネクタを示す図である。
【図３】本発明に係るメールコネクタを示す図である。
【図４】本発明に係るメールコネクタを示す図である。
【図５】本発明に係る小電流電線を示す図である。
【図６】本発明に係る小電流電線を示す図である。
【図７】本発明に係る小電流電線を示す図である。
【図８】本発明に係る大電流電線を示す図である。
【図９】本発明に係る大電流電線を示す図である。
【図１０】本発明に係る大電流電線を示す図である。
【図１１】本発明に係るフィメールシールドシェルを示す図である。
【図１２】本発明に係るフィメールシールドシェルを示す図である。
【図１３】本発明に係るフィメールハウジングと第１電線ユニットを示す図である。
【図１４】本発明に係るフィメールコネクタを示す切開図である。
【図１５】本発明に係るフィメールハウジングに第１電線ユニットが組立てられた状態を示す図である。
【図１６】本発明に係るフィメールハウジングと第２電線ユニットを示す図である。
【図１７】本発明に係るフィメールハウジングとシールドカバーとの間の結合構造を示す図である。
【図１８】本発明に係るフィメールハウジングと第２電線ユニットとの組立前の状態を示す図である。
【図１９】本発明に係るフィメールハウジングと第２電線ユニットとの組立後の状態を示す図である。
【図２０】本発明に係るレバー部材の作動およびフィメールコネクタとメールコネクタとの間の結合過程を示す図である。
【図２１】本発明に係るレバー部材の作動およびフィメールコネクタとメールコネクタとの間の結合過程を示す図である。
【図２２】本発明に係るレバー部材の作動およびフィメールコネクタとメールコネクタとの間の結合過程を示す図である。
【図２３】電気配電装置に結合されたメールコネクタを示す図である。
【図２４】電気配電装置に結合された統合型多極コネクタを示す図である。
【図２５】インターロック端子の接続前の状態を示す図である。
【図２６】インターロック端子の接続後の状態を示す図である。
【図２７】本発明に係る統合型多極コネクタに発生しうる水分流入を防止するための構造を示す図である。
【発明を実施するための形態】
【００１９】
以下、本発明を当該技術分野における通常の知識を有する者が容易に実施できるように説明する。
【００２０】
本発明に係る統合型多極コネクタ１は、フィメールコネクタ１０と、前記フィメールコネクタ１０に挿入されて接続されるメールコネクタ２０とを含んで構成される。
【００２１】
図１および図２に示されるように、前記フィメールコネクタ１０は、フィメールインナーハウジング１１２とフィメールアウターハウジング１１１とからなるフィメールハウジング１１と、前記フィメールインナーハウジング１１２とフィメールアウターハウジング１１１との間に配置されるフィメールシールドシェル１４とを含んで構成される。
【００２２】
前記フィメールインナーハウジング１１２は、第１電線ユニット１２と第２電線ユニット１３の端子１２２、１３２を保護できるように形成され、第１電線ユニット１２の端子１２２を保護するための第１フィメール端子保護部１１２ａと、第２電線ユニット１３の端子１３２を保護するための第２フィメール端子保護部１１２ｂとを有する。
【００２３】
前記フィメールシールドシェル１４は、メールコネクタ２０のシールドシェル（すなわち、メールシールドシェル）２２と接触して、フィメールコネクタ１０とメールコネクタ２０との間に遮蔽構造を形成できるように構成される（図２４参照）。前記フィメールシールドシェル１４は、フィメールコネクタ１０とメールコネクタ２０との結合時、メールシールドシェル２２と接触して連結される。前記フィメールシールドシェル１４は、メールシールドシェル２２と連結されることにより、フィメールハウジング１１とメールハウジング２１との間に電場遮蔽を可能にする。
【００２４】
前記フィメールアウターハウジング１１１は、フィメールコネクタ１０とメールコネクタ２０との間に結合のためのレバー軌跡ホール１７ｂと、メールコネクタ２０の挿入力が増加するのを防止できるレバー部材１７とが備えられる（図２０参照）。前記レバー軌跡ホール１７ｂは、メールコネクタ２０がフィメールコネクタ１０の内側に挿入される時、メールコネクタ２０のレバー軌跡突起１７ａがレバー軌跡ホール１７ｂに沿って移動可能に形成される。前記レバー部材１７は、フィメールアウターハウジング１１１の外側に一定角度で回転可能に設けられる。前記メールコネクタ２０のレバー軌跡突起１７ａがレバー軌跡ホール１７ｂに位置する時、前記レバー部材１７が回転して、フィメールハウジング１１の内側に進入するメールコネクタ２０の挿入量を調節することができる。
【００２５】
前記フィメールインナーハウジング１１２は、フィメールシールドシェル１４の内側に挿入されて配置され、前記フィメールシールドシェル１４は、フィメールアウターハウジング１１１の内側に挿入されて配置される。この時、フィメールハウジング１１に組立てられた第１電線ユニット１２の遮蔽部材（すなわち、シールドコンタクト）と第２電線ユニット１３の遮蔽部材（すなわち、シールドカバー）とが、フィメールシールドシェル１４に接触することにより、第１電線ユニット１２からフィメールハウジング１１までの遮蔽が可能になり、第２電線ユニット１３からフィメールハウジング１１までの遮蔽が可能になる（図２４参照）。
【００２６】
図２５および図２６を参照すれば、フィメールインターロック端子１５は、フィメールコネクタ１０とメールコネクタ２０との結合時、フィメールコネクタ１０の端子（すなわち、フィメール端子）とメールコネクタ２０の端子（すなわち、メール端子）との間に接触および接続が完了した後に、メールインターロック端子２５と接触および接続され、前記フィメール端子１２２、１３２とメール端子２３、２４との間に電流通電を可能にする。前記フィメールインターロック端子１５は、フィメールインナーハウジング１１２の内側に組立てられて固定される。前記フィメールインナーハウジング１１２には、フィメールインターロック端子１５が挿入されて配置されるフィメールインターロック端子組立部１１２ｇが備えられる。
【００２７】
フィメールコネクタシール１６は、フィメールアウターハウジング１１１の内側に組立てられて配置される。前記フィメールコネクタシール１６は、フィメールハウジング１１とメールハウジング２１との結合時、すなわち、フィメールコネクタ１０とメールコネクタ２０との結合時、フィメールアウターハウジング１１１とメールアウターハウジング２１１との間に配置されることにより、フィメールコネクタ１０とメールコネクタ２０との間に水分が流入するのを防止することができる（図２７参照）。
【００２８】
図３および図４に示されるように、前記メールコネクタ２０は、メールインナーハウジング２１２とメールアウターハウジング２１１とからなるメールハウジング２１と、メールインナーハウジング２１２とメールアウターハウジング２１１との間に配置されるメールシールドシェル２２とを含んで構成される。
【００２９】
前記メールインナーハウジング２１２は、電線ユニット１２、１３に備えられる端子１２２、１３２、１５、２３、２４、２５を保護できるように形成される。前記端子は、第１電線ユニット１２と電気接続される第１メール端子２３と、第２電線ユニット１３と電気接続される第２メール端子２４などである。前記メールインナーハウジング２１２は、第１メール端子２３が挿入されて保護される第１メール端子保護部２１２ａと、第２メール端子２４が挿入されて保護される第２メール端子保護部２１２ｂとを有する（図２６参照）。前記第１メール端子保護部２１２ａと第２メール端子保護部２１２ｂは、前記第１メール端子２３と第２メール端子２４を動かないように支持するように形成される。
【００３０】
前記メールシールドシェル２２は、第１メール端子２３と第２メール端子２４の電場を遮蔽できるように構成される。前記メールシールドシェル２２は、フィメールコネクタ１０とメールコネクタ２０とが結合される時、フィメールシールドシェル１４の前端部に対向するメールシールドシェル２２の前端部がフィメールシールドシェル１４と接触する。前記メールシールドシェル２２の後端部は、電気配電装置の遮蔽ハウジング２と接触して、メールコネクタ２０と電気配電装置との間に電場遮蔽を実現することができる。メールシールドシェル２２の前端部は、フィメールハウジング１１とメールハウジング２１とが結合される時、フィメールハウジング１１の内側に挿入される。
【００３１】
図２３に示すように、前記メールアウターハウジング２１１は、電気配電装置に締結されて固定される。メールアウターハウジング２１１の後端部には、ボルティング方式で電気配電装置の遮蔽ハウジング２に結合されるマウンティングブラケット２１１ａが備えられる。前記マウンティングブラケット２１１ａのマウンティング地点には、振動防止のためにブッシングが備えられる。
【００３２】
図２５および図２６に示すように、メールインターロック端子２５は、フィメールコネクタ１０とメールコネクタ２０との結合時、フィメール端子１２２、１３２とメール端子２３、２４との間に接触による接続が完了した後に、フィメールインターロック端子１５と接続され、前記フィメール端子１２２、１３２とメール端子２３、２４との間に電流通電を可能にする。前記メールインターロック端子２５は、メールインナーハウジング２１２の内側に組立てられて固定される。前記メールインナーハウジング２１２は、その内部に挿入されたメールインターロック端子２５を保護するように形成される。
【００３３】
メールコネクタシール２６は、メールアウターハウジング２１１の後端部（具体的には、マウンティングブラケットの後端部）に配置されるように組立てられる。前記メールコネクタシール２６は、フィメールコネクタ１０とメールコネクタ２０との結合時、メールアウターハウジング２１１と電気配電装置の遮蔽ハウジング２との間に配置されることにより、メールハウジング２１と遮蔽ハウジング２との間に水分が流入するのを防止することができる（図２７参照）。それによって、前記メールコネクタシール２６は、メールコネクタ２０と電気配電装置の遮蔽ハウジング２との間に水分が流入するのを防止することができる。メールコネクタ２０が前記遮蔽ハウジング２に結合される時、前記メールアウターハウジング２１１の後端部が遮蔽ハウジング２の表面に接触し、メールインナーハウジング２１２の後端部が前記遮蔽ハウジング２を貫通する。
【００３４】
図２および図５に示されるように、第１電線ユニット１２は、１つ以上の小電流電線１２１（あるいは「第１電線」という）と、前記小電流電線１２１の外側縁に配置されるシールドコンタクト１２３とを含んで構成される。前記シールドコンタクト１２３は、電場遮蔽機能を有するもので、小電流電線１２１の長手方向の中央部に配置される。前記小電流電線１２１は、大電流電線１３１（あるいは「第２電線」という）の電流容量より一定値以上低い電流容量を有することができる。前記第１電線ユニット１２は、互いに同一の電流容量を有する複数の小電流電線１２１を含んで構成される。
【００３５】
図５〜図７に示されるように、前記小電流電線１２１は、電流通電のための回路を形成する小電流心線部１２１ａと、前記心線部１２１ａを取り囲む心線部絶縁体１２１ｂと、前記心線部絶縁体１２１ｂの外側に配置される電線遮蔽網１２１ｃと、前記電線遮蔽網１２１ｃの外側に配置される遮蔽網絶縁体１２１ｄとを含んで構成される。前記心線部１２１ａは、電流が流れるように形成される。前記心線部絶縁体１２１ｂは、心線部１２１ａの外周面を全体的に取り囲んで、心線部１２１ａに流れる電流が心線部絶縁体１２１ｂの外部に漏洩しないように遮断する。前記電線遮蔽網１２１ｃは、心線部１２１ａに流れる電流によって生成される電場が小電流電線１２１の外部に影響を及ぼさないように電場遮蔽を行う。前記遮蔽網絶縁体１２１ｄは、電線遮蔽網１２１ｃの電気絶縁を行って、外部電流が遮蔽網絶縁体１２１ｄの内側に流入するのを防止する。
【００３６】
このような小電流電線１２１は、回路遮蔽のために、心線部１２１ａに小電流フィメール端子１２２（あるいは「第１フィメール端子」という）が圧着されて接続された後、心線部絶縁体１２１ｂの外側縁にシールドベース１２４が組立てられて配置され、前記シールドベース１２４の外側縁に前記電線遮蔽網１２１ｃが配置される。この時、前記電線遮蔽網１２１ｃがシールドベース１２４を覆う。そして、電線遮蔽網１２１ｃで覆われたシールドベース１２４の外側にシールドコンタクト１２３が組立てられて配置される。前記シールドコンタクト１２３と電線遮蔽網１２１ｃおよびシールドベース１２４が重なって積層配置された部位は、設備によって圧着されて固定される。この時、電線遮蔽網１２１ｃの前端部の外側縁に前記シールドコンタクト１２３が配置される。前記小電流電線１２１は、フィメールハウジング１１に挿入されて組立てられる時、その前端部（第１フィメール端子が備えられている部分である）がフィメールシールドシェルの内側に配置される（図２４参照）。これによって、前記フィメールシールドシェル１４と前記電線遮蔽網１２１ｃが、前記シールドコンタクト１２３の前後に配置される。前記シールドコンタクト１２３を基準として、前記フィメールシールドシェル１４は、シールドコンタクト１２３の外側からメールシールドシェル２２側に延びて配置され、前記電線遮蔽網１２１ｃは、シールドコンタクト１２３の内側からメールシールドシェル２２の反対側に延びて配置される。
【００３７】
図８〜図１０に示されるように、前記第２電線ユニット１３は、１つ以上の大電流電線１３１と、前記大電流電線１３１の後端部が挿入されて配置されるアルミニウムシールドカバー１３３と、前記シールドカバー１３３の後端部の外側に固定される遮蔽編組網１３５とを含んで構成される。前記大電流電線１３１の前端部は、フィメールシールドシェル１４の内側に配置される。前記遮蔽編組網１３５は、大電流電線１３１の後端部を取り囲むことができる。前記第２電線ユニット１３は、互いに同一の電流容量を有する複数の大電流電線１３１を含んで構成される。
【００３８】
前記大電流電線１３１は、大電流心線部１３１ａと、前記心線部１３１ａを取り囲む心線部絶縁体１３１ｂと、大電流フィメール端子１３２とを含んで構成される。前記心線部１３１ａに大電流フィメール端子１３２（あるいは「第２フィメール端子」という）が圧着されて接続された後、シールドカバー１３３の内側に大電流電線１３１の後端部を貫通させて組立てる。前記大電流電線１３１の後端部（大電流フィメール端子が結合されない部分）が挿入されたシールドカバー１３３の後端部の外側縁に遮蔽編組網１３５を配置してシールドカバー１３３の後端部と大電流電線１３１の後端部を取り囲む。前記遮蔽編組網１３５は、電線から発生する磁場を遮蔽することができる。そして、クリンプリング１３４は、前記遮蔽編組網１３５上においてシールドカバー１３３の外側縁に挟んで配置される。前記クリンプリング１３４は、設備によってシールドカバー１３３側に圧着される。前記クリンプリング１３４上に保護用グロメット１３６が組立てられて配置される。前記グロメット１３６は、シールドカバー１３３の開放された後端部を覆って大電流電線１３１の後端部を保護することができる。前記シールドカバー１３３は、アルミニウムなどの電場遮蔽機能を有する金属素材で形成される。
【００３９】
前記シールドカバー１３３と大電流電線１３１との間に水分が流入するのを防止するために、大電流電線１３１の外側縁に大電流ワイヤシール１３８が組立てられて配置される（図２７参照）。そして、前記シールドカバー１３３とフィメールコネクタ１０との間に防水のためにカバーシール１３７が使用できる。前記カバーシール１３７は、シールドカバー１３３の前端部に組立てられて配置される。すなわち、第２電線ユニット１３の外側縁に前記カバーシール１３７が組立てられて配置される。前記カバーシール１３７は、フィメールハウジング１１と第２電線ユニット１３との間に水分が流入するのを防止することができる。
【００４０】
図１１および図１２に示されるように、前記フィメールシールドシェル１４は、第１接触部１４１と、第２接触部１４２と、第３接触部１４３とを備える。
【００４１】
前記第１接触部１４１は、フィメールシールドシェル１４の前端部のうち上側端と下側端に形成される。前記第１接触部１４１は、フィメールコネクタ１０とメールコネクタ２０とが結合される時、メールシールドシェル２２の前端部の内側面に接触する（図２４参照）。前記第１接触部１４１は、フィメールシールドシェル１４の前端部がメールシールドシェル２２の内側に挿入される時、前記メールシールドシェル２２の前端部の内側面に弾力的に接触するように形成される。
【００４２】
前記第２接触部１４２と第３接触部１４３は、フィメールシールドシェル１４の後端部に形成される。図１４および図１５に示されるように、前記第２接触部１４２は、第１電線ユニット１２がフィメールハウジング１１の第１回路挿入部１１２ｃに挿入されて組立てられる時、小電流電線１２１のシールドコンタクト１２３と接触して、前記シールドコンタクト１２３につながる電場遮蔽構造を形成することができる。前記第３接触部１４３は、第２電線ユニット１３がフィメールハウジング１１の第２回路挿入部１１２ｄに挿入されて組立てられる時、第２電線ユニット１３のシールドカバー１３３と接触して、前記シールドカバー１３３につながる電場遮蔽構造を形成することができる。
【００４３】
前記第２接触部１４２は、第１電線ユニット１２がフィメールアウターハウジング１１１とフィメールインナーハウジング１１２との間に配置されたフィメールシールドシェル１４を貫通する時、シールドコンタクト１２３の外側に弾力的に接触して連結されるようにフィメールシールドシェル１４の後端部に形成される。前記第３接触部１４３は、第２電線ユニット１３がフィメールシールドシェル１４を貫通する時、シールドカバー１３３の外側に弾力的に接触するようにフィメールシールドシェル１４の後端部に形成される。前記第１電線ユニット１２は、フィメールハウジング１１の第１回路挿入部１１２ｃに挿入されて組立てられる時、前記フィメールシールドシェル１４の後端部を貫通する。前記第２電線ユニット１３は、フィメールハウジング１１の第２回路挿入部１１２ｄに組立てられる時、前記フィメールシールドシェル１４の後端部を貫通する。
【００４４】
具体的には、前記第２接触部１４２と第３接触部１４３は、第１電線ユニット１２および第２電線ユニット１３がフィメールシールドシェル１４の後端部を貫通する時、弾力的に撓みながら変形できるように形成され、その変形時に生成される弾性復元力によってシールドコンタクト１２３およびシールドカバー１３３と安定的に接触することができる。
【００４５】
このようなフィメールシールドシェル１４は、フィメールインターロック端子１５とメールインターロック端子２５との間に電気接続が完了する時、メールシールドシェル２２と接触によって連結される。
【００４６】
図１３〜図１５に示されるように、第１電線ユニット１２は、フィメールアウターハウジング１１１の後端部（第１回路保護部）を貫通してフィメールインナーハウジング１１２の第１回路挿入部１１２ｃに挿入されて組立てられる時、第１フィメール端子１２２がフィメールインナーハウジング１１２の第１端子ランス１１２ｅによって支持されて固定される。この時、第１電線ユニット１２のシールドコンタクト１２３がフィメールシールドシェル１４の後端部を貫通して第２接触部１４２と接触式で連結される。
【００４７】
図１６〜図１９に示されるように、第２電線ユニット１３は、フィメールアウターハウジング１１１の後端部を貫通してフィメールインナーハウジング１１２の第２回路挿入部１１２ｄに挿入される時、第２フィメール端子１３２がフィメールインナーハウジング１１２の第２端子ランス１１２ｆによって支持されて固定される。この時、第２電線ユニット１３のシールドカバー１３３が、フィメールシールドシェル１４の後方で、フィメールシールドシェル１４の第３接触部１４３と接触して連結される。また、この時、第２電線ユニット１３のシールドカバー１３３に突出形成されている係止段１３３ａは、フィメールアウターハウジング１１１の両側に形成されている固定部１１１ｂにそれぞれ係止固定される。
【００４８】
図２０〜図２２に示されるように、フィメールコネクタ１０とメールコネクタ２０とが結合される時、電気配電装置の遮蔽ハウジング２に固定されているメールコネクタ２０側にフィメールコネクタ１０が移動し、前記フィメールコネクタ１０の内側にメールコネクタ２０が挿入される。
【００４９】
図２０に示されるように、メールコネクタ２０がフィメールコネクタ１０に挿入される時、メールアウターハウジング２１１の外側に突出形成されたレバー軌跡突起１７ａがフィメールアウターハウジング１１１に形成されたレバー軌跡ホール１７ｂに進入する。前記メールコネクタ２０は、レバー軌跡突起１７ａがレバー軌跡ホール１７ｂの中間に位置するまでフィメールコネクタ１０の内側に１次挿入される。
【００５０】
前記のように、メールコネクタ２０がフィメールコネクタ１０の内側に１次挿入された後には、図２１に示されるように、フィメールアウターハウジング１１１に設けられたレバー部材１７を回転させる。前記レバー部材１７が回転するに伴って、フィメール端子１２２、１３２がメール端子２３、２４と接触する方向に、フィメールコネクタ１０が移動し始める。前記レバー部材１７の回転によって、前記レバー軌跡突起１７ａがレバー軌跡ホール１７ｂの末端部に移動しながら、フィメールコネクタ１０に挿入されるメールコネクタ２０の２次挿入が進行する。前記レバー部材１７の回転によって、レバー軌跡ホール１７ｂ内でレバー軌跡突起１７ａの移動が制限され、フィメールコネクタ１０に挿入されるメールコネクタ２０の移動量が調節される。
【００５１】
図２２に示されるように、前記レバー部材１７の回転が完了する時点で、フィメールコネクタ１０とメールコネクタ２０との間に結合が完了する。すなわち、前記レバー部材１７の回転が完了する時点で、フィメール端子１２２、１３２とメール端子２３、２４との間に接触による接続が完了し、フィメールコネクタ１０に挿入されるメールコネクタ２０の移動が完了する。この時、前記フィメール端子１２２、１３２とメール端子２３、２４とは電流通電が可能な状態になる。また、前記レバー部材１７の回転が完了する時点で、フィメールシールドシェル１４の第１接触部１４１がメールシールドシェル２２の前端部の内表面に接触する。前記フィメールシールドシェル１４とメールシールドシェル２２とが接触式で連結されることにより、第１電線ユニット１２と第２電線ユニット１３の遮蔽構造がフィメールコネクタ１０からメールコネクタ２０まで延びる。
【００５２】
図２３および図２４に示されるように、メールコネクタ２０は、メールアウターハウジング２１１のマウンティングブラケット２１１ａが電気配電装置に締結されて固定される。前記電気配電装置は、電気配電装置の電場遮蔽のための遮蔽ハウジング２を含んで構成され、前記遮蔽ハウジング２にメールアウターハウジング２１１が装着されて固定される。前記遮蔽ハウジング２の一側には、メールインナーハウジング２１２の後端部が挿入できる貫通ホール２ａが形成される。
【００５３】
前記遮蔽ハウジング２にメールコネクタ２０のマウンティングブラケット２１１ａが締結されると、前記遮蔽ハウジング２の内側面（貫通ホールを取り囲む表面である）とメールシールドシェル２２の遮蔽接触部２２１とが互いに接触し、それによって、前記遮蔽ハウジング２とメールシールドシェル２２との間に磁場遮蔽が可能になる。前記電気配電装置は、前記遮蔽ハウジング２が全体的にアルミニウムなどの遮蔽性金属素材からなっていて、前記電気配電装置の内部空間すなわち、電気配電のための部品が配置されている前記遮蔽ハウジング２の内部空間は、電場遮蔽が可能になっている。したがって、フィメールコネクタ１０とメールコネクタ２０および電気配電装置の内部で電流が流れるすべての領域が、磁場遮蔽領域になる。
【００５４】
図２５および図２６に示されるように、メールコネクタ２０とフィメールコネクタ１０とが結合される時には、フィメール端子１２２、１３２とメール端子２３、２４との間に接続およびフィメールシールドシェル１４とメールシールドシェル２２との間に連結が開始された後、メールコネクタ２０がフィメールコネクタ１０に挿入完了する時点で、前記フィメール端子１２２、１３２とメール端子２３、２４との間に接続およびフィメールシールドシェル１４とメールシールドシェル２２との間に連結も完了する。メールインターロック端子２５とフィメールインターロック端子１５とは、前記フィメール端子１２２、１３２とメール端子２３、２４との間に接続が完了する前に、前記フィメール端子１２２、１３２とメール端子２３、２４との間に電流が流れるのを防止する。すなわち、前記メールインターロック端子２５とフィメールインターロック端子１５とは、フィメール端子１２２、１３２とメール端子２３、２４との間に接続が完了する前には未接続となる。前記メールインターロック端子２５とフィメールインターロック端子１５とが接続されることにより、フィメール端子１２２、１３２とメール端子２３、２４との間に電流通電が可能になる。すなわち、前記メールインターロック端子２５とフィメールインターロック端子１５とが接続されることにより、フィメール端子１２２、１３２およびメール端子２３、２４の間に電流通電が可能になる。また、前記メールインターロック端子２５とフィメールインターロック端子１５とが接続完了する時、メールシールドシェル２２とフィメールシールドシェル１４とが接触によって連結される。
【００５５】
前記フィメールコネクタ１０とメールコネクタ２０および電気配電装置の間の結合が完了した状態で、前記フィメールコネクタ１０とメールコネクタ２０および電気配電装置の遮蔽ハウジング２の間には、図２７に示された矢印の方向に水分流入が発生しうる。前記フィメールコネクタ１０とメールコネクタ２０および電気配電装置の遮蔽ハウジング２の間に水分流入が発生するのを防止するために、水分流入が発生しうる位置ごとに防水のためのシール部材が設けられることが好ましい。前記シール部材は、コネクタの内部に水分が流入するのを防止することにより、コネクタの遮蔽に関連する部品が水分によって遮蔽性能が低下するのを防止することができる。また、前記シール部材による防水が困難なシールドカバー１３３の後端部は、グロメット１３６で覆われていて、外部からの水分流入が防止される。
【００５６】
前記シール部材は、小電流ワイヤシール１２５、大電流ワイヤシール１３８、カバーシール１３７、フィメールコネクタシール１６、メールコネクタシール２６などが適用可能である。前記小電流ワイヤシール１２５は、フィメールアウターハウジング１１１の第１回路保護部１１１ａと小電流電線１２１との間に水分流入を防止するように構成される。前記第１回路保護部１１１ａは、第１電線ユニット１２の小電流電線１２１の後端部が挿入されて支持される部分である。前記小電流ワイヤシール１２５は、第１電線ユニット１２の外側縁（具体的には、小電流電線の後端部の外側縁）に設けられて配置される。第２回路保護部１１１ｃは、第２電線ユニット１３のシールドカバー１３３の前端部が挿入されて支持される部分である。
【００５７】
上記のように構成される本発明の統合型多極コネクタ１は、先に説明した効果以外に、次の利点がさらに存在する。
１．従来の小電流電線用コネクタと大電流電線用コネクタの機能が統合された構造で構成されることにより、電気配電装置に収容されるコネクタの種数を縮小することができる。それによって、電気配電装置のサイズが縮小可能である。
２．電気配電装置に収容されるコネクタの種数が減少することにより、ワイヤリングハーネスの作業工数を簡素化することができる。前記コネクタの種数が減少するにつれ、コネクタのインターロック端子によって形成されるインターロック回路も減少し、ワイヤリングハーネスの配線時にインターロック回路を構成するための作業工数が簡素化され、インターロック回路を構成する端子および電線などの部品の縮小も可能である。それによって、コネクタ製造時のコスト節減および生産性増大が可能である。
【００５８】
以上、本発明の実施例について詳細に説明したが、本発明の権利範囲は上述した実施例に限定されず、次の特許請求の範囲で定義している本発明の基本概念を利用した当業者の様々な変形および改良も本発明の権利範囲に含まれる。
【符号の説明】
【００５９】
１：統合型多極コネクタ
１０：フィメールコネクタ
１１：フィメールハウジング
１１１：フィメールアウターハウジング
１１１ａ：第１回路保護部
１１１ｂ：固定部
１１１ｃ：第２回路保護部
１１２：フィメールインナーハウジング
１１２ａ：第１フィメール端子保護部
１１２ｂ：第２フィメール端子保護部
１１２ｃ：第１回路挿入部
１１２ｄ：第２回路挿入部
１１２ｅ：第１端子ランス
１１２ｆ：第２端子ランス
１１２ｇ：フィメールインターロック端子組立部
１２：第１電線ユニット
１２１：小電流電線（第１電線）
１２１ａ：（小電流）心線部
１２１ｂ：心線部絶縁体
１２１ｃ：電線遮蔽網
１２１ｄ：遮蔽網絶縁体
１２２：第１フィメール端子（小電流フィメール端子）
１２３：シールドコンタクト
１２４：シールドベース
１２５：小電流ワイヤシール
１３：第２電線ユニット
１３１：大電流電線（第２電線）
１３１ａ：（大電流）心線部
１３１ｂ：心線部絶縁体
１３２：第２フィメール端子（大電流フィメール端子）
１３３：シールドカバー
１３３ａ：係止段
１３４：クリンプリング
１３５：遮蔽編組網
１３６：保護用グロメット
１３７：カバーシール
１３８：大電流ワイヤシール
１４：フィメールシールドシェル
１４１：第１接触部
１４２：第２接触部
１４３：第３接触部
１５：フィメールインターロック端子
１６：フィメールコネクタシール
１７：レバー部材
１７ａ：レバー軌跡突起
１７ｂ：レバー軌跡ホール
２０：メールコネクタ
２１：メールハウジング
２１１：メールアウターハウジング
２１１ａ：マウンティングブラケット
２１２：メールインナーハウジング
２１２ａ：第１メール端子保護部
２１２ｂ：第２メール端子保護部
２２：メールシールドシェル
２２１：遮蔽接触部
２３：第１メール端子
２４：第２メール端子
２５：メールインターロック端子
２６：メールコネクタシール
２：電気配電装置の遮蔽ハウジング
２ａ：貫通ホール
【図１】
2020095947.tif 000003
【図２】
2020095947.tif 000004
【図３】
2020095947.tif 000005
【図４】
2020095947.tif 000006
【図５】
2020095947.tif 000007
【図６】
2020095947.tif 000008
【図７】
2020095947.tif 000009
【図８】
2020095947.tif 000010
【図９】
2020095947.tif 000011
【図１０】
2020095947.tif 000012
【図１１】
2020095947.tif 000013
【図１２】
2020095947.tif 000014
【図１３】
2020095947.tif 000015
【図１４】
2020095947.tif 000016
【図１５】
2020095947.tif 000017
【図１６】
2020095947.tif 000018
【図１７】
2020095947.tif 000019
【図１８】
2020095947.tif 000020
【図１９】
2020095947.tif 000021
【図２０】
2020095947.tif 000022
【図２１】
2020095947.tif 000023
【図２２】
2020095947.tif 000024
【図２３】
2020095947.tif 000025
【図２４】
2020095947.tif 000026
【図２５】
2020095947.tif 000027
【図２６】
2020095947.tif 000028
【図２７】
2020095947.tif 000029